(57)【要約】      （修正有）【課題】室内の空間活用面や外観面から優れた効果を期待することができ、さらに事務室や家庭で使われる全ての無線通信機器を単一の複合機にまとめて運用できることから、無線通信機器の使用効率性を高められる無線通信用複合機を提供する。【解決手段】単一のケース内に無線電話機の制御・運用のためのソフトウェア及びパソコンの動作のための公衆網送信ソフトウェアが内蔵されており、外部には無線電話機及びパソコン側に信号を供給するためのアンテナが取り付けられると共に、電源接続のための電源用プラグ及びコンセント上の通信線及び電話線の接続のための通信用プラグが配備されるが、これら電源用プラグ及び通信用プラグは、ケースの背面に一体に直接的に取り付けられ、これらと対応する位置に電源コンセント及び通信コンセントが設けられてなる壁付け型プレートの構造を有する複合型コンセントに差込自在であることを特徴とする。【選択図】図１
2006148860.tif 000002
【特許請求の範囲】
【請求項１】
単一のケース（１０）内に無線電話機の制御・運用のためのソフトウェア及びパソコンの動作のための公衆網送信ソフトウェアが内蔵されており、外部には無線電話機及びパソコン側に信号を供給するためのアンテナ（１１）が取り付けられると共に、電源接続のための電源用プラグ（１２）及びコンセント上の通信線及び電話線の接続のための通信用プラグ（１３）が配備されるが、これら電源用プラグ（１２）及び通信用プラグ（１３）は、ケース（１０）の背面に一体に直接的に取り付けられ、これらと対応する位置に電源コンセント（１９）及び通信コンセント（２０）が設けられてなる壁付け型プレートの構造を有する複合型コンセント（１８）に差込自在であることを特徴とする無線通信用複合機。
【請求項２】
前記ケースの背面に取り付けられる電源用プラグ（１２）及び通信用プラグ（１３）は分離型であって、所定の長さを有する電線（１４）を介して接続されることを特徴とする請求項１記載の無線通信用複合機。
【請求項３】
前記ケース（１０）は、電話機またはパソコンを有線により接続するための電話機／パソコンコネクタ（１５）をさらに備えることを特徴とする請求項１または２記載の無線通信用複合機。
【請求項４】
前記ケース（１０）の前面には、熱を外部に放出するための放熱口（１６）が取り付けられることを特徴とする請求項１または２記載の無線通信用複合機。
【請求項５】
前記ケース（１０）の前面には、電話またはデータの受信を確かめるための多数の受信ランプ（１７）が設けられることを特徴とする請求項１または２記載の無線通信用複合機。
【請求項６】
前記ケース（１０）には、無線電話機やパソコン以外の無線通信機器を運用するためのソフトウェアがさらに搭載可能であることを特徴とする請求項１記載の無線通信用複合機。  
【発明の詳細な説明】
【技術分野】
【０００１】
本発明は、無線電話機、ノート型パソコンなどの無線通信機器に対する外部からの伝送信号を単一の端末本体により供給できるようにした無線通信用複合機に係り、詳しくは、電源プラグ及び無線電話機／パソコン用コネクタなどを備えると共に、無線電話機の制御・運用のためのソフトウェアやパソコンの動作のための公衆網送信ソフトウェアなどを搭載した無線通信用複合機を提供することにより、既存の無線電話機やパソコンなどによる通信に求められていた配線を無くすことができ、とりわけ、無線電話機の置き台及び有線本体などが省けることから、室内の空間活用面や外観面から優れた効果を期待することができ、なによりも、事務室や家庭で使われる全ての無線通信機器を単一の複合機にまとめて運用できることから、無線通信機器の使用効率性を高めることができる無線通信用複合機に関する。
【背景技術】
【０００２】
現在、家庭または事務室で使われる無線電話機の場合、これを制御・運用するためにソフトウェアを搭載した別のキープレート付き有線本体、及びこれを置くための置き台を設置して使用している。さらに、近年、インターネット及び無線通信手段の補給が急速に増えるに伴い、パソコン、特にノート型パソコンなど公衆網を用いるパソコンの使用が増えつつある。
【０００３】
通常、無線電話機の有線本体及び置き台やパソコンは、図７に示すように、家庭や事務室に敷設される通信線のコンセントに通信ジャックなどにより別途の配線を接続して使用している。これと共に、電源を供給されるためのコンセントに別途のプラグも一緒に差し込んで使用している。すなわち、通信用プレート１００及び電気用プレート２００をそれぞれ別々に設けて使用している。これは、現在、通信配線が非遮蔽撚線（ＵＴＰ：unshielded twisted pair）となっているため、通信線と電流が流れる電気線が同時に敷設できないのが現状であり、もし、これらを単一線に形成する場合、通信線に高い電流が流れて通信電波に悪影響を及ぼし、その結果、ともすればパソコンなど有無線機器の故障及び安全事故につながりがちであるからである。
【０００４】
今後、家庭や事務室などで使われる無線通信機器が増える見込みであり、これを考慮したとき、次第に増える一方である無線通信機器関連の配線処理、あるいは、周辺機器の効果的な処理は、空間活用面や外観面からみたとき、必ず解決しなければならない必須課題となっている。この理由から、将来、通信線と電気線を単一の近接線にまとめられる安全な光ケーブル線が普及されると見られる。
【発明の開示】
【発明が解決しようとする課題】
【０００５】
本発明は、上記事情に鑑みてなされたもので、その目的は、電源プラグ及び無線電話機／パソコン用コネクタなどを備えると共に、無線電話機の制御・運用のためのソフトウェアやパソコンの動作のための公衆網送信ソフトウェアなどを搭載して事務室や家庭で使われる全ての無線通信機器を単一の複合機にまとめて運用することにより、既存の有線及び無線電話機やパソコンなどによる通信に求められていた配線や無線電話機のキープレート付き本体および置き台などが省けることから、室内の空間活用面や外観面から優れた効果を期待することができ、さらに、事務室や家庭で使われる全ての無線通信機器を単一の複合機にまとめて運用できることから、無線通信機器の使用効率性を高められる無線通信用複合機を提供することにある。
【０００６】
さらに、本発明の目的は、前記無線通信用複合機を接続するに当たり、通信用プレート及び電気用プレートが単一体にまとめられる複合型コンセントを備える無線通信用複合機を提供することにある。
【課題を解決するための手段】
【０００７】
前記目的を達成するために、本発明に係る無線通信用複合機は、単一のケース内に無線電話機の制御・運用のためのソフトウェア及びパソコンの動作のための公衆網送信ソフトウェアが内蔵されており、外部には無線電話機及びパソコン側に信号を供給するためのアンテナが取り付けられると共に、電源接続のための電源用プラグ及びコンセント上の通信線及び電話線の接続のための通信用プラグが配備されるが、これら電源用プラグ及び通信用プラグは、ケースの背面に一体に直接的に取り付けられ、これらと対応する位置に電源コンセント及び通信コンセントが設けられてなる壁付け型プレートの構造を有する複合型コンセントに差込自在であることを特徴とする。 
【０００８】
また、前記電源用プラグ及び通信用プラグは、ケースの背面に直接的に取り付けられるか、あるいは、所定の長さを有する電線を介して接続されることを特徴とする。
【０００９】
さらに、前記ケースは、電話機またはパソコンを有線により接続するための電話機／パソコンコネクタをさらに備えることを特徴とする。
【００１０】
さらに、前記ケースの前面には、熱を外部に放出するための放熱口が取り付けられることを特徴とする。
【００１１】
さらに、前記ケースの前面には、電話またはデータの受信を確かめるための多数の受信ランプが設けられることを特徴とする。
【００１２】
さらに、前記ケースには、無線電話機やパソコン以外の無線通信機器を運用するためのソフトウェアがさらに搭載可能であることを特徴とする。
【発明の効果】
【００１３】
本発明によれば、事務室や家庭で使われる全ての無線通信機器を単一の複合機にまとめて運用できる無線通信用複合機を提供することにより、既存の無線電話機やパソコンなどによる通信に求められていた配線や無線電話機のキープレート付き本体および置き台などが省けることから、室内の空間活用面や外観面から優れた効果を期待できるというメリットがあり、とりわけ、全ての無線通信機器を単一の複合機にまとめて運用できることから、無線通信機器の使用効率性を高められるという効果が奏せられる。
【発明を実施するための最良の形態】
【００１４】
以下、添付図に基づき、本発明を詳細に説明する。
【００１５】
本発明からは、無線電話機を使用するための信号処理、パソコンのインターネットを使用するための信号処理などの信号体系の制御を単一の統合端末手段により行う無線通信用複合機が提供される。
【００１６】
このために、本発明に係る無線通信用複合機には、薄肉小型のケース１０が備えられ、このケース１０内には、無線電話機を制御・運用するための一連のプログラムを含むソフトウェアと、無線電話機の各動作を制御すると共に、ソフトウェアの各プログラムの運用を司るか、あるいは、インターネット使用に関するデータ信号を入出力すると共に、所定の無線データ信号の処理を司る主制御部と、データ信号を増幅して送るハブとなどが内蔵される。
【００１７】
これらのソフトウェア、主制御部及びハブなどとしては、既存の無線電話機、またはパソコンのインターネット使用のための通常の制御プログラムがそのまま採用可能である。
【００１８】
例えば、既存の無線電話機の有線本体及び置き台からソフトウェアの部分だけを取ってケース１０内のプリント回路基板（ＰＣＢ）の上に組み立てることにより、無線電話機とケース１０との間の信号通信体系を構築することができる。あるいは、外部のインターネット通信網から入ってくるデータ信号を受け取り、これを信号処理してノート型パソコンなどのインターネットを動作するための信号を得た後、外部インタフェースを介して出力を行う通常のデータ通信用制御ロジック（プログラムまたは回路）をＰＣＢ上に組み付けることにより、パソコンとケース１０との間の信号通信体系を構築することができる。
【００１９】
これらの以外にも、家庭や事務室などで使われる別の無線通信機器やホーム自動化システムなどを動作するための通常の制御プログラムやソフトウェアも採用可能である。今後家庭や事務室などに敷設される全ての通信回線が単一線にまとめられる見込みであることを考慮したとき、このような複合機能を有するアセンブリタイプのケース１０には、多数の無線通信機器などを一層効率よく運用できるというメリットがある。
【００２０】
これにより、一種の複合端末タイプよりなるケース１０は、家庭や事務室などに設けられたコンセント上の通信線を介して入力される通信データを受信し、これに所定の信号処理を施した後、外部に設けられたインターフェースを介して無線電話機側やパソコン側と送受信体系を構築することが可能になる。
【００２１】
前記ケース１０は、薄肉小型の四角形を呈し、電源を供給されるための電源用プラグ１２と、コンセント上の通信線及び電話線と接続されてデータ信号を受信するための通信用プラグ１３と、を備える。
【００２２】
これらの電源用プラグ１２と通信用プラグ１３は、図１及び図２に示すように、ケース１０の背面に直接的に取り付けられてもよく、図３及び図４に示すように、所定の長さを有する電線１４を介して接続されても良い。
【００２３】
ここで、前記通信用プラグ１３は、電話機やパソコンなどの各無線通信機器の数に合わせて多数個設けられてもよいが、好ましくは、今後の通信回線の統合時に備えて、すなわち、光ケーブルの補給に備えて単一のプラグに全ての無線通信機器を収容させる。
【００２４】
さらに、ケース１０の上部には、外部インタフェースとしてのアンテナ１１が取り付けられ、このアンテナ１１を介して電話機やパソコンの動作を制御する制御信号の送信、及び電話機及びパソコン側の操作信号の受信が行われる。
【００２５】
さらに、前記ケース１０の上部の一側には、電話機またはパソコンを有線により接続するための電話機／パソコンコネクタ１５が取り付けられ、この電話機／パソコンコネクタ１５に電話機のジャックやパソコンのジャックを差し込むことにより、有線電話機や一般パソコンも便利に使用することができる。
【００２６】
もちろん、このとき、ケース１０は、既存の有無線電話機の動作、あるいは無線ノート型パソコン及び一般パソコンの動作に関わる信号通信体系を構築するためのソフトウェアや主制御部などを含むことができる。
【００２７】
さらに、前記ケース１０の前面の一側には放熱口１６が設けられることにより、内部の電子素子から発せられる熱を効率よく外部に放出することができる。さらに、前面の他側には電話またはデータの受信を確かめるための多数の受信ランプ１７が設けられることにより、電話機の使用者やパソコンの使用者は、該当機器の使用有無を目視で手軽に確認することができる。
【００２８】
このような構造を有するケース１０は、図５及び図６に示すように、複合型コンセント１８に差し込んで使用することができる。
【００２９】
例えば、電源用プラグ１２及び通信用プラグ１３が一体に取り付けられてなるケース１０の場合、コンセントが設けられている壁面上に直接的に取り付けることができる。これに対し、電源用プラグ１２及び通信用プラグ１３が電線１４を介して接続されてなるケース１０の場合、コンセントの近傍に取り付けることができる。
【００３０】
これにより、家庭や事務室などでケースを簡潔に処理することができ、しかも外観もきれいに仕上げられる。
【００３１】
前記複合型コンセント１８は壁付け型プレートであって、下側には電源コンセント１９が配設され、上側には通信コンセント２０が配設されるような構造を有する。
【００３２】
このとき、通信コンセント２０は、電話コンセント、データコンセント（ＵＴＰ）、光接続コンセントなどを含む。
【００３３】
この通信コンセントは、１ヶ所あるいは２ヶ所など、無線通信機器の取り付け数１対１に対応して取り付けられる。
【００３４】
現在には、電話線、ＵＴＰ通信線、ＴＶケーブルのための通信配線と電気配線がそれぞれ別々の配線に使い分けられているため、コンセントの場合にも通信線用コンセントと電気線用コンセントを別々に設けているが、今後単一の光通信ケーブルに通信線と電気線がまとめられる見込みであり、その場合には、単一のコンセントを設けて使用することができる。これにより、本発明に係る無線通信用複合機は、以上の統合化の傾向に積極的に対応できるというメリットがある。
【図面の簡単な説明】
【００３５】
【図１】本発明に係る一体型無線通信用複合機の前面斜視図である。
【図２】本発明に係る一体型無線通信用複合機の背面斜視図である。
【図３】本発明に係る分離型無線通信用複合機の前面斜視図である。
【図４】本発明に係る分離型無線通信用複合機の背面斜視図である。
【図５】本発明に係る無線通信用複合機を接続するための壁付け型プレートの一具現例を示す正面図である。
【図６】本発明に係る無線通信用複合機を接続するための壁付け型プレートの他の具現例を示す正面図である。
【図７】従来の壁付け型プレートの構成図である。
【符号の説明】
【００３６】
１０    ケース
１１    アンテナ
１２    電源用プラグ
１３    通信用プラグ
１４    電線
１５    電話機／パソコンコネクタ
１６    放熱口
１７    受信ランプ
１８    複合型コンセント
２０    電源コンセント
【図１】
2006148860.tif 000003
【図２】
2006148860.tif 000004
【図３】
2006148860.tif 000005
【図４】
2006148860.tif 000006
【図５】
2006148860.tif 000007
【図６】
2006148860.tif 000008
【図７】
2006148860.tif 000009